【事件の表示】
　平成　７年特許願第　３７６２７号「デジタル音声信号及び映像信号の再生装置」拒絶査定に対する審判事件［平成　７年　８月１１日出願公開、特開平　７−２１１００７］について、次のとおり審決する。
【結　論】
　本件審判の請求は、成り立たない。
【理　由】
１．出願の経緯、本願発明
　本願は、昭和６３年２月５日に出願した特願昭６３−２５４７５号の一部を平成７年２月２日に新たな特許出願としたものであって、その請求項１に係る発明は、平成９年５月２７日及び平成１０年２月１６日付け手続補正書によって補正された明細書及び図面の記載からみて、特許請求の範囲の請求項１に記載された次のとおりのものと認める。（以下、「本願発明」という。）
「映像信号と、ブロック化されかつそのブロックの長さが上記映像信号のフィールド周波数又は水平周波数と同期関係に無いサンプリング周波数のデジタル音声信号と、を再生するデジタル音声信号及び映像信号の再生装置であって、上記再生装置は、
　映像信号の再生手段と、
　圧縮デジタル音声データと、この圧縮デジタル音声データをデコードするためのパラメータと、ブロックの始点を示し、上記圧縮デジタル音声データ及び上記パラメータが取り得ない所定のビット長のビットパターンであるマーカとよりなるブロックから、それぞれ圧縮デジタル音声データ、パラメータ及びマーカを分離する手段と、
　上記マーカに基づき、上記圧縮デジタル音声データ及びパラメータとから上記デジタル音声信号を順次デコードする手段とよりなる
　デジタル音声信号及び映像信号の再生装置。」
　
２．引用例
　これに対して、原査定の拒絶の理由に引用された、特開昭６２−１１４１６４号公報（昭和６２年５月２５日出願公開、以下「引用例」という）には、以下の記載がある。
「本発明はＰＣＭ音声信号を映像信号と共に、あるいは単独で回転ヘッドスキャナにて記録再生する装置に係り、特に標本化周波数と映像信号のフィールド周波数、あるいは回転ヘッドとの回転周波数との関係が非同期の場合に好適である。」（第１頁右下欄第１１〜１６行）
「しかし、ＰＣＭ音声信号を映像信号と共に回転ヘッドヘリカルスキャン方式ＶＴＲで記録する場合には、映像信号が５２５／６０ＴＶ方式の場合、そのフィールド周波数（ｆｖ＝５９．９４Ｈｚ）で標本化周波数（衛星放送のＰＣＭ音声信号は標本化周波数ｆｓ＝３２KHz，４８KHz）を割切ることができないので、１フィールド当たりのブロック数が端数となる。」（第２頁左下欄第４〜１１行）
「再生時には、（中略）復調回路３７によりディジタル信号が復調される。このディジタル信号は同期信号検出回路３８により同期信号が抽出され、この同期信号及びヘッド３４から出力されたヘッド切換信号３９が、再生時の所要のタイミングの基準信号としてタイミング生成回路２１に送られる。一方、ディジタル信号のうち同期信号以外の信号は、（中略）ＲＡＭ１５に記憶され、データの再配置及び誤り訂正回路２０による誤り訂正が行われる。そして、時系列順に並びかえられたＰＣＭ信号は、Ｄ／Ａ変換器１２によって順次アナログ信号に変換され、（中略）出力端子８より出力される。」（第３頁左下欄第１６行〜右下欄第１９行）
「次にブロックフォーマットの一実施例を第２図により説明する。（中略）同期信号４８は、ブロックの先頭を示す８ビットの特定パターンで構成されており、再生時にデータを取り込む際の時間的な基準となる。」（第４頁左上欄第１２行〜右上欄第１行）
　
　これらの記載及び図面を参照すると、引用例には以下の発明が記載されている。（以下、「引用例記載の発明」という）
「映像信号（５２５／６０ＴＶ方式）と、
　ブロック化されかつ上記映像信号の１フィールド当たりのブロック数が端数であり、さらにサンプリング周波数（３２kHz、４８kHz）が映像信号のフィールド周波数（５９．９４Hz）と非同期であるＰＣＭ音声信号と、
を再生するＰＣＭ音声信号及び映像信号の再生装置であって、上記再生装置は、
　映像信号の再生手段と、
　ブロック化されたディジタル信号から、ブロックの始点を示す所定のビット長の特定パターンである同期信号と、該同期信号以外のディジタル信号とを分離する手段と、
　上記同期信号を時間的な基準として上記同期信号以外のディジタル信号を取り込み、データ再配置及び誤り訂正を行い時系列順のＰＣＭ音声信号に復元するＲＡＭ、及び、誤り訂正回路、とよりなる
　デジタル音声信号及び映像信号の再生装置。」
　
３．対比
　本願発明と引用例記載の発明を対比する。
（１）引用例記載の発明の「映像信号（５２５／６０ＴＶ方式）」の水平周波数は１５．７３４kHzであって、サンプリング周波数が３２kHzまたは４８kHzのＰＣＭ音声信号とは非同期である。また、上記ＰＣＭ音声信号をブロック化したブロックの長さも、映像信号の上記水平周波数とは非同期であると認められる。
　したがって、引用例記載の発明のＰＣＭ音声信号は、本願発明の「ブロック化されかつそのブロックの長さが上記映像信号のフィールド周波数又は水平周波数と同期関係に無いサンプリング周波数のデジタル音声信号」に相当する。
（２）引用例記載の発明の「同期信号」「同期信号以外のディジタル信号」が、本願発明の「マーカ」「デジタル音声データ」に相当する。
（３）引用例記載の発明の「上記同期信号を時間的な基準として上記同期信号以外のディジタル信号を取り込み、データ再配置及び誤り訂正を行い時系列順のＰＣＭ音声信号に復元するＲＡＭ、及び、誤り訂正回路」が、本願発明の「上記マーカ」に基づき「上記デジタル音声信号を順次デコードする手段」に相当する。
　
　したがって、本願発明と引用例記載の発明とは、
「映像信号と、ブロック化されかつそのブロックの長さが上記映像信号のフィールド周波数又は水平周波数と同期関係に無いサンプリング周波数のデジタル音声信号と、を再生するデジタル音声信号及び映像信号の再生装置であって、上記再生装置は、
　映像信号の再生手段と、
　デジタル音声データと、ブロックの始点を示し、所定のビット長のマーカとよりなるブロックから、それぞれデジタル音声データ、及びマーカを分離する手段と、
　上記マーカに基づき、上記デジタル音声信号を順次デコードする手段とよりなる
　デジタル音声信号及び映像信号の再生装置。」
である点で一致し、以下の点で相違する。
・相違点１
　マーカが、本願発明では「上記圧縮デジタル音声データ及び上記パラメータが取り得ない所定のビット長のビットパターン」であるのに対して、引用例記載の発明では「所定のビット長の特定パターン」であって、具体的な記載がない点。
　
・相違点２
　本願発明では、「デジタル音声信号」が、「圧縮デジタル音声データ」及び「圧縮デジタル音声データをデコードするためのパラメータ」に符号化されており、これらを再生、分離し、上記圧縮デジタル音声データ及びパラメータとから上記デジタル音声信号を順次デコードするのに対して、引用例記載の発明の「ディジタル音声信号」は、そのようなものではない点。
　
４．当審の判断
　上記相違点について検討する。
　
（１）相違点１に対して
　原査定で例示した、特開昭５８−１３７１１２号公報（昭和５８年８月１５日出願公開）に、
「ブロックごとに同期信号を設け、この同期信号を検出して各ブロックの位置を定めることが行われている。」（第２頁右下欄第７〜９行）
「本発明において同期信号としてコード信号として使用されていないパターン（禁止パターン）を用いる。」（第３頁左上欄第２〜４行）
と記載されているように、ブロックの位置を定める同期信号（マーカ）に、他の信号で使用されていないパターンを用いることは周知な技術である。
　そして、引用例記載の発明の同期信号（マーカ）においても、上記周知技術のごとく他の信号で使用されていないパターンを用いることは、当業者にとって格別困難なこととは言えず、その効果も予想外のものではない。
　よって、上記相違点１は格別なものではない。
　
（２）相違点２に対して
　原査定で例示した、特開昭６０−２５１７３３号公報（昭和６０年１２月１２日出願公開）に、
「近年において、ディジタル技術の進歩に伴ない、オーディオ信号やビデオ信号等のアナログ信号をサンプリングして量子化及び符号化処理を行ない、いわゆるＰＣＭ（パルス・コード・モジュレーション）信号として伝送あるいは記録・再生することが多くなってきている。」（第１頁右下欄第２〜７行）
「また、マルチプレクサ８には上記ブロック単位で圧縮された例えば１ワード７ビットのデータの他に、上記指数値等に相当する例えば１ワード３ビットのデータや、上記予測計数バンク６からのフィルタ特性選択データ（あるいは予測計数選択データ）が送られている。（中略）
　このようにしてマルチプレクサ８に送られたデータは、例えば１ブロック毎に所定フォーマットのシリアルデータ系列に変換され、出力端子９を介して取り出されて伝送媒体や記録媒体を介して伝送される。」（第５頁左上欄第１１行〜右上欄第６行）
「次に、第１図のエンコーダの出力端子９より出力され伝送されたディジタル信号は、例えば第５図に示すような構成のデコーダにより元のストレートＰＣＭデータ信号に復元される。
　この第５図において、上記伝送されたディジタル信号は、入力端子５１を介してマルチプレクサ５２に供給され、このマルチプレクサ５２において上記１ブロック内の各種データに分離される。マルチプレクサ５２から得られる上記ブロック単位で圧縮された例えば１ワード７ビットの各データはブロック単位伸長回路５３に送られており、この伸長回路５３はマルチプレクサ５２からの情報データに応じてエンコーダの上記ブロック単位圧縮回路７とは逆の処理を行う。このブロック単位伸長回路５３からは、第１図のエンコーダの上記予測フィルタから得られたデータと同様なデータが出力されこの出力データは例えば一次和分をとるような逆予測フィルタ５５に送られる。予測計数バンク５４には、マルチプレクサ５２からの上記フィルタ特性選択データ（あるいは予測計数選択データ）が供給されており、この選択データに応じてエンコード時の予測フィルタ４の特性とは逆のフィルタ特性が逆予測フィルタ５５に対して選択されることによって、元のストレートＰＣＭデータが復元され、出力端子５６を介して取り出される。」（第５頁右上欄第２０行〜右下欄第４行）
と記載されているように、ＰＣＭ信号であるデジタル音声信号を記録・再生するものにおいて、前記デジタル音声信号を、圧縮デジタル音声データ、及び、パラメータ（「上記指数値等に相当する（中略）データや、上記予測計数バンク６からのフィルタ特性選択データ（あるいは予測計数選択データ）」が相当）に変換して記録しておき、これらを再生、分離し、上記圧縮デジタル音声データ及びパラメータとから上記デジタル音声信号を順次デコードすることは周知な技術である。
　そして、引用例記載の発明のＰＣＭ信号であるディジタル音声信号を、上記周知技術のごとく圧縮ディジタル音声データとこの圧縮デジタル音声データをデコードするためのパラメータに変換して記録しておき、これを再生、分離し、上記圧縮デジタル音声データ及びパラメータとから上記デジタル音声信号を順次デコードするよう変更することは、当業者にとって格別困難なこととは言えず、その効果も予想外のものではない。
　よって、上記相違点２も格別なものではない。
　
５．むすび
　したがって、本願発明は、引用例記載の発明及び周知技術から当業者が容易に発明をすることができたものであるから、特許法第２９条第２項の規定により特許を受けることができない。
　よって、結論のとおり審決する。